(57)【要約】      （修正有）【課題】複数枚の生地を縫合するという製造過程が不要であり、１枚の生地を折り畳むことで物品の収納部を作り出し、カバーも有する小物入れを提供する。【解決手段】略十字状の生地２を折り畳んで形成される小物入れ１であって、該生地は裏面を構成する略矩形状の裏面生地部３と、該裏面生地部の四方端部からそれぞれ延伸して構成される右側面生地部４、表面生地部６、左側面生地部５、カバー生地部７とからなり、右側面生地部４と左側面生地部５を同一方向に折り畳み固着し、その後、表面生地部６を折り畳み、右側面生地部４及び左側面生地部５と固着することにより収納部を形成した構成とした。【選択図】図１
0003193678.tif 000002
【実用新案登録請求の範囲】
【請求項１】
略十字状の生地を折り畳んで形成される小物入れであって、
該生地は裏面を構成する略矩形状の裏面生地部と、該裏面生地部の四方端部からそれぞれ延伸して構成される右側面生地部、表面生地部、左側面生地部、カバー生地部とからなり、
右側面生地部と左側面生地部を同一方向に折り畳み固着し、その後、表面生地部を折り畳み、右側面生地部及び左側面生地部と固着することにより収納部を形成したことを特徴とする小物入れ。
【請求項２】
右側面生地部及び左側面生地部の外側端部が湾曲して設けられることを特徴とする請求項１に記載の小物入れ。
【請求項３】
表面生地部の外側端部が湾曲して設けられることを特徴とする請求項１又は請求項２に記載の小物入れ。
【請求項４】
表面生地部を、右側面生地部、左側面生地部、及び右側面生地部と左側面生地部の重合箇所の最低３箇所と固着したことを特徴とする請求項１から請求項３のいずれか１項に記載の小物入れ。
【請求項５】
カバー生地部を表面生地部と着脱自在とする着脱手段を設けたことを特徴とする請求項１から請求項４のいずれか１項に記載の小物入れ。
【請求項６】
カバー生地部に紐状部材、チェーン、キーホルダーといった補助部材を挿通させるための孔部を最低１箇所以上設けたことを特徴とする請求項１から請求項５のいずれか１項に記載の小物入れ。
【考案の詳細な説明】
【技術分野】
【０００１】
本考案は生地の四方を縫合することなく、主に生地を折り畳むことによって形成される小物入れに関する。
【背景技術】
【０００２】
従来の小物入れやバッグは、主に複数枚の生地を縫製する手法により製造されている。例えば実公平６−４７２９４に開示されているバッグは、その図に示されるとおり、表面側の生地と裏面側の生地とを、側面側の生地及び底面生地と周囲を縫合することで、収納部を有する形状に仕上げている。
その他、２枚の生地の左端、右端、下端の３端部を縫合し、その後裏表を逆にして形成されるバッグも多く製造されている。
【先行技術文献】
【特許文献】
【０００３】
【特許文献１】実公平６−４７２９４
【考案の概要】
【考案が解決しようとする課題】
【０００４】
しかしながら従来からあるこれらの小物入れやバッグは、複数枚の生地を縫合するという過程が必須であり、生地の縫合に時間と費用を要していた。また、縫合は縫合技術に錬度の違いが生じ、精度の高い縫合を行うには熟練した技術や高価な設備機械が必要であった。
【０００５】
また、生地の周囲を縫合するという手法で製造された小物入れやバッグは、時間の経過とともに縫い糸に損耗が生じ、縫合箇所が外れてしまうことが多く生じていた。そしてそうなると、新しいものに切り替えるか、損耗箇所を修理する必要があり、利用者にとっても費用がかさむこととなっていた。
【０００６】
本考案では、複数枚の生地を縫合するという製造過程が不要であり、１枚の生地を折り畳むことで物品の収納部を作り出し、カバーも有する小物入れやバッグを提供することを目的とする。
【課題を解決するための手段】
【０００７】
上記の課題を解決するために本考案に係る小物入れは、略十字状の生地を折り畳んで形成される小物入れであって、該生地は裏面を構成する略矩形状の裏面生地部と、該裏面生地部の四方端部からそれぞれ延伸して構成される右側面生地部、表面生地部、左側面生地部、カバー生地部とからなり、右側面生地部と左側面生地部を同一方向に折り畳み固着し、その後、表面生地部を折り畳み、右側面生地部及び左側面生地部と固着することにより収納部を形成したことを要旨とした。
【０００８】
また本考案に係る小物入れは上記構成においてさらに、右側面生地部及び左側面生地部の外側端部が湾曲して設けられることを要旨とした。
【０００９】
また本考案に係る小物入れは上記構成においてさらに、表面生地部の外側端部が湾曲して設けられることを要旨とした。
【００１０】
また本考案に係る小物入れは上記構成においてさらに、表面生地部を、右側面生地部、左側面生地部、及び右側面生地部と左側面生地部の重合箇所の最低３箇所と固着したことを要旨とした。
【００１１】
また本考案に係る小物入れは上記構成においてさらに、カバー生地部を表面生地部と着脱自在とする着脱手段を設けたことを要旨とした。
【００１２】
また本考案に係る小物入れは上記構成においてさらに、カバー生地部に紐状部材、チェーン、キーホルダーといった補助部材を挿通させるための孔部を最低１箇所以上設けたことを要旨とした。
【考案の効果】
【００１３】
本考案の小物入れによると、複数枚の生地を縫合するという製造過程が不要であり、１枚の生地を折り畳むことで物品の収納部を作り出すことができるため、製造過程において複数生地の縫合にかかる時間と費用とを省略することができる。そのため、非常に安価に製品を作ることができる。
また、縫合技術の差により商品の品質が変わってしまうことがない。
【００１４】
また、複数枚の生地の周囲等を縫合しないため、縫合箇所の縫い糸が損耗して生地が破れるといったことがなくなる。そのため、縫合箇所の損耗により製品を買い換えたり、修理したりすることがなくなり、利用者にとって買い替えや修理の負担が軽減される。
【図面の簡単な説明】
【００１５】
【図１】実施例１に係る小物入れの製造過程を示す平面図である。
【図２】実施例１に係る小物入れの製造過程を示す平面図である。
【図３】実施例１に係る小物入れの製造過程を示す平面図である。
【図４】実施例１に係る小物入れの製造過程を示す平面図である。
【図５】実施例１に係る小物入れの斜視図である。
【図６】実施例１に係る小物入れの斜視図である。
【図７】実施例２に係る小物入れの斜視図である。
【図８】実施例３に係る小物入れの斜視図である。
【図９】実施例３に係る小物入れの斜視図である。
【図１０】実施例３に係る小物入れの斜視図である。
【図１１】実施例３に係る小物入れの斜視図である。
【考案を実施するための形態】
【００１６】
本考案は、日用品を収納することができる収納部を有し、持ち運び容易な小物入れ、バッグ、かばん、ケース、袋物、財布、ポーチなどに関するものである。
【００１７】
本考案に用いられる生地は、折り曲げることができ、強度と耐久性を備えた生地であればどのようなものでもよい。例えば、本皮、合成皮革、フェルト、ビニールなどが挙げられる。また、生地は一枚ものを用いてもよいし、二枚以上を重ねて接着したものを用いてもよい。
生地の厚さに関しても任意であるが、強度と弾力性を兼ね備えることを考えると、２ｍｍから５ｍｍ程度が好ましい。
【００１８】
また、本考案では生地を折り曲げたあと、生地の所定箇所どおしを固着するが、固着手段は従来用いられる任意の手段による。例えば、カシメによる固着、熱融着、縫着、その他固定器具による固着などが挙げられるが、これに限定されるものではない。
【００１９】
本考案に係る小物入れは、裁断された１枚の生地から構成される。
生地は小物入れの裏面を形成する多角形の基本生地において、各端辺から外方向に折り畳み用の部分が延伸して一体的に設けられた形状となっている。例えば、矩形の基本生地の４端辺からそれぞれ外側に折り畳み用の生地が延伸しており、全体として十字架状の形状の生地を用いる。
【００２０】
そして、外側に延伸した折り畳み用の生地を２つ以上折り畳み、折り畳み用生地間を任意の固着手段により固着する。基本生地が矩形であり、折り畳み用生地が４部ある構成の場合、左端、右端、下端の３端部から延伸した折り畳み用生地を折り畳み固着することで、物品の収納部が形成される。
物品の収納部の形成に必要のない折り畳み生地は、適宜収納部を覆い隠すカバーとして用いることができる。
【００２１】
なお、カバーを別の折り畳み生地と着脱自在にする着脱手段を適宜設けることができる。着脱手段は、ホック、面ファスナ、ひねり金具などが考えられるが、これに限定されるものではない。
また、カバーに孔部を設けてもよい。この孔部に手提げ用の紐やチェーンを通すことで小物入れに把持部分を設けることができる。また、キーホルダー用のチェーンを通すことで、キーホルダー部を設けることができる。
【００２２】
本考案にかかる小物入れは、好適にはカード、鍵、スマートフォンなどの小物の収納に用いられるが、これに限定されるものではない。
【実施例１】
【００２３】
本考案の好ましい第１の実施形態につき、図１から図６を参照しながら説明する。
【００２４】
本実施例に係る小物入れ（１）は、図１に示されるように平面視で略十時形状の生地（２）から形成される。生地（２）は、裏面生地部（３）、右側面生地部（４）、左側面生地部（５）、表面生地部（６）、カバー生地部（７）とからなる。
【００２５】
裏面生地部（３）は本実施例では矩形状となっており、最終的に小物入れになった際に、裏面を構成する部分である。右側面生地部（４）、左側面生地部（５）、表面生地部（６）、カバー生地部（７）はそれぞれ、裏面生地部の各端辺から外側方向に延伸して設けられる生地部分である。これらの部分を折り畳むことで、物品を収納する収納部が形成される。
【００２６】
また、裏面生地部（３）と各生地部（４）（５）（６）（７）との境目の折り畳み線（８）に沿って、各生地部は折り畳まれる。
【００２７】
本実施例では、収納部を形成する右側面生地部（４）、左側面生地部（５）、表面生地部（６）の外側端部は図１に示すように湾曲させている。特に湾曲させなくとも収納部を形成可能ではあるが、外側端部を湾曲させることで生地どおしが重なる面積が減り、最終的に小物入れになった場合の前面部の厚みを減らすことができる。
収納部を覆うカバーとなるカバー生地部（７）に関しては外側端部は湾曲させずに直線状としている。湾曲させてもカバーを形成できるが、最終的に前面に位置することとなるため、端部を直線状としたほうがより広い面積を覆うことができ好ましい。
【００２８】
本実施例に係る小物入れ（１）では、図２に示すとおりその形成過程において生地（２）のうち、まず右側面生地部（４）及び左側面生地部（５）が同方向に折り畳まれ、両生地部が固着される。
固着にはカシメ（９）を用いている。なお、右側面生地部（４）と左側面生地部（５）とを固着できれば固着位置は任意であるが、本実施例では重なる生地の下方を固着している。このように固着位置を中心からずらすことで、次の工程でさらに生地を固着する際の固着スペースを確保することができる。
【００２９】
次に、図３に示すとおり、表面生地部（６）を折り畳み、すでに折り畳まれ固着されている右側面生地部（４）、左側面生地部（５）を上から覆う。そして、表面生地部を右側面生地部及び左側面生地部と固着する。固着には別のカシメ（１０）を用いている。このカシメは裏面生地部を除く３枚の生地部を貫通して設けられ、生地どおしが分離することを防いでいる。
なお、この二つ目のカシメは重なる生地の上方を固着している。このように固着位置を中心からずらすことで、一つ目のカシメと固着位置が重複することがなくなり、固着成型が容易に可能となる。
【００３０】
以上の成型過程により、図３に示すとおり、右側面生地部（４）、左側面生地部（５）、表面生地部（６）を重ね合わせたことでそれらの内側に物品を収納する収納空間（１１）が形成される。
【００３１】
最後に図４、図５に示すとおり、生地（２）のカバー生地部（７）を前方に折り畳むことで、収納口を覆い隠すカバーが形成され、本実施例に係る小物入れ（１）が完成する。図６に示すとおり、カバー（１２）はその他の生地に固着されないため、開け閉め自在である。
本実施例に係る小物入れでは、生地の裁断、折り畳み、固着のみの工程で製品を製造することができ、従来の小物入れやバッグのように、複数枚の生地を縫着するといった時間と費用がかかる工程が不要となる。
【実施例２】
【００３２】
本考案の好ましい第２の実施形態につき、図７を参照しながら説明する。
【００３３】
本実施例に係る小物入れ（２１）は、基本的な構成は実施例１で詳述した小物入れと同様である。すなわち、平面視略十字形状の生地（２２）において、まず右側面生地部（２４）と左側面生地部（２５）とを折り畳み重ね合わせ、カシメで固着したあと、次に表面生地部（２６）を折り畳み重ね合わせ、さらにカシメ（２８）で表面生地部を右側面生地部及び左側面生地部と固着する。
【００３４】
ここで、本実施例における小物入れ（２１）では、表面生地部（２６）の形状に特徴がある。実施例１では該部分は外方向に湾曲した形状としていたが、本実施例では湾曲させず、図７に示すとおり、表面生地部の端部は直線で構成され、略矩形状としている。
また、表面生地部と、右側面生地部及び左側面生地部との固着部位を３箇所としている。すなわち、右側面生地部、左側面生地部、右側面生地部と左側面生地部との重合部の３箇所を固着している。
【００３５】
この工夫により、表面生地部と、右側面生地部及び左側面生地部との固着箇所が増えることで小物入れに物品を出し入れする際に固着箇所にかかる力を分散させることができ、固着箇所の強度をより高くすることができる。すなわち、より耐久性の高い小物入れとすることができる。
【００３６】
また、本実施例に係る小物入れ（２１）には、カバーとなるカバー生地部（２７）の内側に、表面生地部（２６）との着脱手段となる磁性ホック（２９）を設けている。
これによりカバーを開け閉めするとき、カバーを閉めた際にカバーが勝手には開かなくなり、収納部に入れた物品が外に飛び出さないようにすることができる。
【実施例３】
【００３７】
本考案の好ましい第３の実施形態につき、図８から図１１を参照しながら説明する。
【００３８】
本実施例に係る小物入れ（３１）は、実施例１で詳述した小物入れにおいて、そのカバーとなるカバー生地部に孔部を設けたものである。その他の構成や形状は実施例１に係る小物入れと同様である。
【００３９】
本実施例に係る小物入れによると、カバー部分に孔部を有することから、該孔部に適宜紐状部材やチェーンなどを挿通させて用いることができる。
孔部の位置や数、挿通させる部材は任意である。
【００４０】
例えば、図８に示す小物入れ（３１）では、カバー（３２）の下端近傍に２箇所孔部（３３）を設け、該孔部に輪となる紐状部材（３４）を通している。このようにすることで、利用者はカバーが開いている状態であっても、閉じている状態であっても、紐状部材を持つことで、小物入れを容易に把持できる。
【００４１】
また、図９に示す小物入れ（３１）では、紐状部材（３４）にキーホルダー（３５）を設けている。この小物入れでは、収納部に小物を収納するとともに、キーホルダーに鍵を保持することができるため、より小物入れの利便性が高まる。
【００４２】
また、図１０に示す小物入れ（３１）では、紐状部材（３４）に切れ目があるものを用いており、紐状部材の端部間で着脱可能としている。このような構成とすることで、該小物入れを例えば鞄の紐に吊るすなどが可能となる。
【００４３】
また、図１１に示す小物入れ（３１）では、カバー（３２）の下端近傍に孔部（３３）を一箇所のみ設け、該孔部に一本の紐状部材（３４）を挿通させている。そして該紐状部材の一端にキーホルダー（３５）を設け、他端にフック（３６）を設けている。
この小物入れでは、キーホルダーに鍵を保持できるとともに、フックを鞄のＤカンなどに引っ掛けることで、小物入れを鞄などに留めておくことができる。
【００４４】
なお、上記各施形態の記述は本考案をこれに限定するものではなく、本考案の要旨を逸脱しない範囲で種々の設計変更等が可能である。
【符号の説明】
【００４５】
１    小物入れ
２    生地
３    裏面生地部
４    右側面生地部
５    左側面生地部
６    表面生地部
７    カバー生地部
８    折り畳み線
９    カシメ
１０  カシメ
１１  収納空間
１２  カバー
２１  小物入れ
２２  生地
２４  右側面生地部
２５  左側面生地部
２６  表面生地部
２７  カバー生地部
２８  カシメ
２９  磁性ホック
３１  小物入れ
３２  カバー
３３  孔部
３４  紐状部材
３５  キーホルダー
３６  フック
【図１】
0003193678.tif 000003
【図２】
0003193678.tif 000004
【図３】
0003193678.tif 000005
【図４】
0003193678.tif 000006
【図５】
0003193678.tif 000007
【図６】
0003193678.tif 000008
【図７】
0003193678.tif 000009
【図８】
0003193678.tif 000010
【図９】
0003193678.tif 000011
【図１０】
0003193678.tif 000012
【図１１】
0003193678.tif 000013